(57)【要約】【課題】複数の対象物を読み取った結果に対してコメント等の付加情報を付加する場合のユーザによる操作負担を軽減する。【解決手段】分割部１０２は、読取部１５により読み取られた画像である読取画像を複数の分割画像に分割する。ここで、読取画像は、例えば複数の名刺やＩＤカードなどが読取部１５のプラテンガラスに並べられた状態でその名刺やＩＤカードに記された内容を読み取った画像である。分割画像は、プラテンガラスに並べられた各々の名刺又はＩＤカードを示す画像である。取得部１０３は、複数の分割画像に対して共通の内容を含む付加情報を取得する。付加処理部１０４は、設定部１０１による設定に従い、付加処理を行う。具体的には、付加処理部１０４は、分割画像をそれぞれ含む複数のデータファイルに対し、取得部１０３により取得された付加情報を付加する付加処理を行う。【選択図】図２
2019004365.tif 000002
【特許請求の範囲】
【請求項１】
読取画像を複数の分割画像に分割する分割手段と、
前記複数の分割画像に対して共通の内容を含む付加情報を取得する取得手段と、
前記分割画像をそれぞれ含む複数のデータファイルに対し、取得された前記付加情報を付加する付加処理を行う付加処理手段と
を備えることを特徴とする情報処理装置。
【請求項２】
前記付加処理の可否を設定する設定手段を備え、
前記付加処理部は前記設定に従い前記付加処理を行う
ことを特徴とする請求項１記載の情報処理装置。
【請求項３】
前記取得手段は前記付加情報を生成し、生成した付加情報を付加する
ことを特徴とする請求項１又は２記載の情報処理装置。
【請求項４】
前記取得手段は、自装置が記憶している情報に応じた前記付加情報を生成する
ことを特徴とする請求項３記載の情報処理装置。
【請求項５】
前記取得手段は、各々の分割画像に共通する画像に応じた前記付加情報を生成する
ことを特徴とする請求項３記載の情報処理装置。
付加情報を生成する
【請求項６】
前記取得手段は、ユーザによる操作に従って前記付加情報を生成する
ことを特徴とする請求項３記載の情報処理装置。
【請求項７】
前記付加処理手段は、１回の読取処理によって生成された読取画像を分割した分割画像に対して共通の内容を含む付加情報を付加する
ことを特徴とする請求項１〜６のいずれか１項に記載の情報処理装置。
【請求項８】
前記付加処理手段は、ユーザにより指定された複数回の読取処理によって生成された読取画像を分割した分割画像に対して共通の内容を含む付加情報を付加する
ことを特徴とする請求項１〜６のいずれか１項に記載の情報処理装置。
【請求項９】
前記付加処理手段は、１又は複数回の読取処理によって生成された読取画像を分割した分割画像のうち、共通する画像を含む分割画像に対して共通の内容を含む付加情報を付加する
ことを特徴とする請求項１〜６のいずれか１項に記載の情報処理装置。
【発明の詳細な説明】
【技術分野】
【０００１】
本発明は、情報処理装置に関する。
【背景技術】
【０００２】
特許文献１には、ファクシミリ受信した文書からファイル番号および区分符号を取り出し、かつ当該区分符号にコメントが付加されているときは、画像記憶部からファイル番号が付された画像を呼び出し、当該画像の区分符号により示される領域にコメントを重ね合わせたコメント付画像を作成することが開示されている。
【先行技術文献】
【特許文献】
【０００３】
【特許文献１】特許第３９４４７７５号公報
【発明の概要】
【発明が解決しようとする課題】
【０００４】
本発明は、複数の対象物を読み取った結果に対してコメント等の付加情報を付加する場合のユーザによる操作負担を軽減することを目的とする。
【課題を解決するための手段】
【０００５】
請求項１に係る発明は、読取画像を複数の分割画像に分割する分割手段と、前記複数の分割画像に対して共通の内容を含む付加情報を取得する取得手段と、前記分割画像をそれぞれ含む複数のデータファイルに対し、取得された前記付加情報を付加する付加処理を行う付加処理手段とを備えることを特徴とする情報処理装置を提供する。
【０００６】
請求項２に係る発明は、請求項１記載の構成において、前記付加処理の可否を設定する設定手段を備え、前記付加処理部は前記設定に従い前記付加処理を行う。
【０００７】
請求項３に係る発明は、請求項１又は２記載の構成において、前記取得手段は前記付加情報を生成し、生成した付加情報を付加する。
【０００８】
請求項４に係る発明は、請求項３記載の構成において、前記取得手段は、自装置が記憶している情報に応じた前記付加情報を生成する。
【０００９】
請求項５に係る発明は、請求項３記載の構成において、前記取得手段は、各々の分割画像に共通する画像に応じた前記付加情報を生成する。
【００１０】
請求項６に係る発明は、請求項３記載の構成において、前記取得手段は、ユーザによる操作に従って前記付加情報を生成する。
【００１１】
請求項７に係る発明は、請求項１〜６のいずれか１項に記載の構成において、前記付加処理手段は、１回の読取処理によって生成された読取画像を分割した分割画像に対して共通の内容を含む付加情報を付加する。
【００１２】
請求項８に係る発明は、請求項１〜６のいずれか１項に記載の構成において、前記付加処理手段は、ユーザにより指定された複数回の読取処理によって生成された読取画像を分割した分割画像に対して共通の内容を含む付加情報を付加する。
【００１３】
請求項９に係る発明は、請求項１〜６のいずれか１項に記載の構成において、前記付加処理手段は、１又は複数回の読取処理によって生成された読取画像を分割した分割画像のうち、共通する画像を含む分割画像に対して共通の内容を含む付加情報を付加する。
【発明の効果】
【００１４】
請求項１に係る発明によれば、複数の対象物を読み取った結果に対してコメント等の付加情報を付加する場合のユーザによる操作負担が軽減される。
請求項２に係る発明によれば、付加処理の可否の設定に応じて、その付加処理が行われる。
請求項３に係る発明によれば、生成した付加情報が付加される。
請求項４に係る発明によれば、自装置が記憶している情報に応じた付加情報が生成される。
請求項５に係る発明によれば、各々の分割画像に共通する画像に応じた付加情報が生成される。
請求項６に係る発明によれば、ユーザによる操作に従って付加情報が生成される。
請求項７に係る発明によれば、１回の読取処理において複数の分割画像に対し共通の内容を含む付加情報が付加される。
請求項８に係る発明によれば、複数回の読取処理において複数の分割画像に対し共通の内容を含む付加情報が付加される。
請求項９に係る発明によれば、１又は複数回の読取処理によって生成された読取画像を分割した分割画像において付加情報が付加される。
【図面の簡単な説明】
【００１５】
【図１】画像形成装置１のハードウェア構成を示す図。
【図２】画像形成装置１の機能構成を示すブロック図。
【図３】画像形成装置１の動作を示すフローチャート。
【図４】画像データの変化を示す模式図。
【発明を実施するための形態】
【００１６】
本発明の実施形態の一例について説明する。
＜構成＞
図１は、本実施形態に係る画像形成装置１のハードウェア構成を示す図である。画像形成装置１は、本発明に係る情報処理装置の一例である。画像形成装置１は、制御部１１、記憶部１２、通信部１３、ＵＩ（User Interface）部１４、読取部１５、画像処理部１６、及び画像形成部１７を備える。
【００１７】
制御部１１は、ＣＰＵ（Central Processing Unit）などの演算装置と、ＲＯＭ（Read Only Memory）やＲＡＭ（Random Access Memory）などの記憶装置とを備えており、後述するような表示制御を含む画像形成装置１の全体的な制御を行う。ＲＯＭには、ハードウェアやＯＳ（Operating System）の起動の手順を記述したファームウェアが記憶されている。ＲＡＭは、ＣＰＵが演算を実行する際のデータの記憶に用いられる。記憶部１２は、例えば半導体メモリやハードディスク記憶装置などを備え、ＯＳのほか、各種の機能を実現するためのソフトウェア（プログラム）を記憶している。通信部１３は、外部の電子機器との間で通信を行うための通信Ｉ／Ｆ（Interface）を備える。通信部１３は、ＬＡＮ（Local Area Network）などの通信回線に接続される。
【００１８】
ＵＩ部１４は、表示部と操作部とを含む。表示部は例えば液晶表示装置を備え、ユーザが画像形成装置１を操作するための画面を表示面に表示する。操作部１５は、例えば表示部１４の表示面を覆うように設けられたタッチパネルや、表示面に隣接する位置に設けられたキーなどを備え、ユーザが行った操作を受け付けて、その操作に応じた信号を制御部１１に出力する。制御部１１は、この操作の内容に従って画像形成装置１を制御する。
【００１９】
読取部１５は、原稿を光学的に読み取って画像データを生成する。読取部１６は、例えば、プラテンガラス、光源、光学系、カラーフィルタ、撮像素子などを備えたイメージスキャナであり、プラテンガラス上に載せられた物体に対して光源が光を照射し、その物体で反射された反射光が光学系及びカラーフィルタを介して撮像素子に入射する。撮像素子は、入射した光を画像信号に変換して画像処理部１６に出力する。画像処理部１６は、読取部１５から出力された画像信号にスクリーン処理や色変換などの画像処理を施す。画像形成部１７は、例えば画像処理部１６によって画像処理が施されたデータに基づく画像を、記録媒体である用紙に形成する。画像形成方式は、例えば、電子写真方式やインクジェット方式などである。
【００２０】
図２は、画像形成装置１の機能構成を示すブロック図である。これらの機能は、制御部１１が記憶部１２に記憶されたプログラムを実行することによって実現される。設定部１０１は、例えばユーザの操作に従い、付加処理の可否を設定する。付加処理可であれば付加処理が行われるし、付加処理否であれば付加処理が行われない。
【００２１】
分割部１０２は、読取部１５により読み取られた画像である読取画像を複数の分割画像に分割する。ここで、読取画像は、例えば複数の名刺、免許証、クレジットカード、キャッシュカード或いはＩＤカードなど（以下、これらの物体を名刺等という）が読取部１５のプラテンガラスに並べられた状態でそれらの名刺等に記された内容を読み取った画像である。分割画像は、プラテンガラスに並べられた各々の名刺等を示す画像である。つまり、読取画像は、名刺等の複数の対象物を含むが、分割画像はそれぞれ、１枚の名刺等の単一の対象物のみを含む。
【００２２】
取得部１０３は、複数の分割画像に対して共通の内容を含む付加情報を取得する。本実施形態では取得部１０３は、付加情報を生成することで付加情報を取得する。例えば取得部１０３はユーザによる操作に従って付加情報を生成する。
【００２３】
付加処理部１０４は、設定部１０１による設定に従い、付加処理を行う。具体的には、付加処理部１０４は、分割画像をそれぞれ含む複数のデータファイルに対し、取得部１０３により取得された付加情報をそのデータファイルのフォーマットに適合する形式で付加する。
【００２４】
＜動作＞
次に画像形成装置１の動作を説明する。図３の処理は、読取部１５において画像読み取りがなされるたびに実行される。ユーザは例えば５枚の名刺をプラテンガラスに置き、画像読み取りを指示する。この指示に応じて、読取部１５はこれらの名刺を１度のスキャン処理で読み取って読取画像データを生成する（ステップＳ１１）。これにより、例えば図４（ａ）に示すように、５枚の名刺Ａ〜Ｅを含む読み取り画像を示す読取画像データが生成される。
【００２５】
画像処理部１６は、読取画像データに所定の緒画像処理を施し、例えばＪＰＥＧ（Joint Photographic Experts Group）等の所定の圧縮形式で圧縮して（ステップＳ１２）、記憶部１２に記憶させる（ステップＳ１３）。
【００２６】
次に、分割部１０２は、記憶部１２から読取画像データを読み出し（ステップＳ１４）、複数の分割画像に分割する（ステップＳ１５）。具体的には、分割部１０２は読取画像データを解析して、名刺を想定した所定の大きさの範囲と所定の色の範囲に収まる矩形画像を抽出し、それぞれの矩形画像を示す分割画像データに分割する。これにより、例えば図４（ｂ）に示すように５枚の名刺Ａ〜Ｅのそれぞれが別々の分割画像データとして生成される。
【００２７】
次に、付加処理部１０４は、設定部１０１により設定されている付加処理の可否に基づいて付加処理を行うか否かを判断する（ステップＳ１６）。付加処理を行う場合には（ステップＳ１６；ＹＥＳ）、取得部１０３は、複数の分割画像に対して共通の内容を含む付加情報を取得する（ステップＳ１７）。具体的には、取得部１０３は、ユーザに対して付加情報の入力操作を促し、これに応じてユーザによりＵＩ部１４に対して入力された内容（例えば日付、名刺に記されたメンバーが出席していた会議の名称、コメントを入力するユーザの所属部署及び氏名等）を含む付加情報を生成する。
【００２８】
付加処理部１０４は、それぞれの分割画像データに対し、取得部１０３により取得された付加情報を付加する付加処理を行うとともに、フォーマット処理を行う（ステップＳ１８）。ここで用いるフォーマットは、例えばＰＤＦ（Portable Document Format）、ＸＤＷ（DocuWorks文書の拡張子）、ＴＩＦＦ（Tag Image File Format）等であり、付加情報はそれぞれのフォーマットに応じた記述形式で記述される。これにより、例えば図４（ｂ）に示すように、各々の名刺Ａ〜Ｅの分割画像に対して共通の付加情報が個別に関連付けられた５つのデータファイルが生成される。そして、これらの分割画像及び付加情報を含む各データファイルは、ユーザが利用する端末等に転送される（ステップＳ１８）。なお、付加処理を行わない場合には（ステップＳ１６；ＮＯ）、読取画像データに対してフォーマット処理が行われ（ステップＳ１９）、ユーザが利用するユーザ端末等に転送される（ステップＳ１８）。
【００２９】
本実施形態によれば、複数の対象物を読み取った結果に対してコメント等の付加情報を付加する場合のユーザによる操作負担を軽減することを目的とする。特に画像形成装置１においてはＵＩ部１４の操作部におけるキーの種類及び数が少ないから、それぞれの対象物に対して個別に付加情報を入力しようとした場合には相当の時間及び手間を要するが、本実施形態によれば、それらの時間及び手間が削減される。
【００３０】
＜変形例＞
実施形態を次のように変形してもよい。また、複数の変形例を組み合わせてもよい。
＜１＞
取得部１０３は、ユーザによる操作に従って付加情報を生成することで付加情報を取得していたが、これ以外の方法で付加情報を生成してもよい。
取得部１０３は、自装置（画像形成装置１）が記憶している情報に応じた付加情報を生成するようにしてもよい。例えば画像形成装置１が現在日時を記憶している場合や、画像形成装置１にログインしたユーザの氏名等の属性を記憶している場合には、それらを含む付加情報を生成する。
また、取得部１０３は、各々の分割画像に共通する画像に応じた付加情報を生成するようにしてもよい。例えば取得部１０３は各々の名刺等の対象物についてＯＣＲ（Optical Character Recognition/Reader）等の文字認識を行い、その文字認識の結果、全対象物に共通する企業名や部署名があれば、これらを含む付加情報を生成してもよい。
【００３１】
＜２＞
実施形態において、付加処理部１０４は、１回の読取処理によって生成された読取画像を分割した分割画像に対して付加情報を付加していたが、ユーザにより指定された複数回の読取処理によって生成された読取画像を分割した分割画像に対して付加情報を付加するようにしてもよい。ユーザは、画像読み取り処理の回数を画像形成装置１に対して指定し、付加処理部１０４は、ユーザにより指定された回数の読取処理によって生成された読取画像を分割した分割画像に対して付加情報を付加する。
また、付加処理部１０４は、１又は複数回の読取処理によって生成された読取画像を分割した分割画像のうち、共通する画像を含む分割画像に対して共通の内容を含む付加情報を付加するようにしてもよい。例えば取得部１０３は各々の名刺等の対象物についてＯＣＲ（Optical Character Recognition/Reader）等の文字認識を行い、その文字認識の結果、いくつかの対象物に共通する企業名や部署名があれば、これらを含む付加情報を生成する。付加処理部１０４は、１又は複数回の読取処理によって生成された読取画像を分割した分割画像のうち、共通する画像を含む分割画像に対して共通の内容を含む付加情報を付加する  
【００３２】
＜３＞
付加情報の種類や数は実施形態で例示した内容に限らない。
【００３３】
＜４＞
上記の実施形態では、制御部１１がプログラムを実行することによって上記の機能を実現する例を示したが、上記の機能がハードウェア回路で実装されていてもよい。また、このプログラムを、光記録媒体、半導体メモリ等、コンピュータで読み取り可能な記録媒体に記録して提供し、この記録媒体からプログラムを読み取って情報処理装置にインストールするようにしてもよい。また、このプログラムを電気通信回線で提供してもよい。
【符号の説明】
【００３４】
１…画像形成装置、１１…制御部、１２…記憶部、１３…通信部、１４…ＵＩ部、１５…読取部、１６…画像処理部、１７…画像形成部、１０１…設定部、１０２…分割部、１０３…取得部、１０４…付加処理部。
【図１】
2019004365.tif 000003
【図２】
2019004365.tif 000004
【図３】
2019004365.tif 000005
【図４】
2019004365.tif 000006